(57)【特許請求の範囲】
【請求項１】
机の上部所定箇所に、天板の所定箇所に設けられた開口部を閉塞可能な開閉板が、上下方向に回動可能に枢着されるとともに、前記開閉板の下方における机本体内部には、ＯＡ機器を載置する台板が、前記開口部が前記開閉板により閉塞された時に下限に位置し、かつ前記開口部が開放されたときに上限の使用位置に保持しうるように昇降可能に設けられ、さらに前記台板には、少なくとも前記台板の昇降時において前記開閉板の裏面に摺接し得る昇降部材が設けられており、前記開閉板が前記台板の昇降に伴い上下方向に回動され、前記昇降部材が、一端が机本体の上部における前記開閉板の回動中心近傍において上下方向に回動自在に枢着され、遊端が前記開閉板の裏面に摺接する押上げ杆と、この押上げ杆の下部に摺接し得るように台板に突設された突片とから構成されていることを特徴とするＯＡ機器収納型机。
【請求項２】
前記押上げ杆の他端に、前記開閉板の開閉に伴い裏面を転動するローラが設けられている請求項１に記載のＯＡ機器収納型机。
【請求項３】
机の上部所定箇所に、天板の所定箇所に設けられた開口部を閉塞可能な開閉板が、上下方向に回動可能に枢着されるとともに、前記開閉板の下方における机本体内部には、ＯＡ機器を載置する台板が、前記開口部が前記開閉板により閉塞された時に下限に位置し、かつ前記開口部が開放されたときに上限の使用位置に保持しうるように昇降可能に設けられ、さらに前記台板には、少なくとも前記台板の昇降時において前記開閉板の裏面に摺接し得る昇降部材が設けられており、前記開閉板が前記台板の昇降に伴い上下方向に回動され、前記開閉板の周縁部もしくは前記開口部の周縁部に、ケーブルやコード類の挿通口が形成されていることを特徴とするＯＡ機器収納型机。
【発明の詳細な説明】
【０００１】
【発明の属する技術分野】
本発明は、例えば学校の教室やパソコン講習用教室等において使用されるＯＡ機器収納型机に係り、特に、ＯＡ機器操作用の専用の机と、ＯＡ機器の不使用時には通常の机としても使用することができるようにした机に関する。
【０００２】
【従来の技術】
この種の従来の机としては、例えば、天板の所定箇所に設けられた開口部に、開閉板が開閉可能に設けられるとともに、ＯＡ機器が、前記開閉板により開口部が閉塞された時に前記開閉板の下方の収納位置に収納され、開閉板が開放された時に天板上面の使用位置に上昇されるように設けられた机等があり、これらの机は、ＯＡ機器の不使用時において、開口部を閉塞する開閉板の上面が天板の一部として利用出来るようになっている。
【０００３】
【発明が解決しようとする課題】
しかしながら、この種の机において、ＯＡ機器を昇降させるために設けられる台板の昇降に連動して、前記開閉板を自動的に開閉させようとする場合、開閉板の閉塞時において、ＯＡ機器のコード類や、使用者の手が挟まれる恐れがあり、このような場合、台板の下降が停止されないと、コード類が断線したり、使用者がけがをする危険性があった。
【０００４】
そこで、このように開閉板と開口部の周縁部との間にコード類や使用者の手が挟まれた場合に、台板の昇降を停止するための装置等を設けることが考えられるが、装置が高価になり、机の製造コストが嵩むといった問題があった。
【０００５】
本発明は、上記問題点を解決するためになされたもので、ＯＡ機器の取り出し、収納時における操作性、安全性が高く、かつ安価に製造出来るＯＡ機器収納型机を提供することを目的としている。
【０００６】
【課題を解決するための手段】
上記目的を達成するために、本発明のＯＡ機器収納型机は、机の上部所定箇所に、天板の所定箇所に設けられた開口部を閉塞可能な開閉板が、上下方向に回動可能に枢着されるとともに、前記開閉板の下方における机本体内部には、ＯＡ機器を載置する台板が、前記開口部が前記開閉板により閉塞された時に下限に位置し、かつ前記開口部が開放されたときに上限の使用位置に保持しうるように昇降可能に設けられ、さらに前記台板には、少なくとも前記台板の昇降時において前記開閉板の裏面に摺接し得る昇降部材が設けられており、前記開閉板が前記台板の昇降に伴い上下方向に回動され、前記昇降部材が、一端が机本体の上部における前記開閉板の回動中心近傍において上下方向に回動自在に枢着され、遊端が前記開閉板の裏面に摺接する押上げ杆と、この押上げ杆の下部に摺接し得るように台板に突設された突片とから構成されていることを特徴としている。上記構成の本発明によると、開閉板は、台板の昇降に伴い裏面に摺接される昇降部材により上下方向に回動されるので、使用者は開閉板を開閉操作することなく、ＯＡ機器を使用位置に取り出したり、天板下方に収納することが出来る。また、特にＯＡ機器の収納時において、自重により下方に回動する開閉板と開口部との間に、ＯＡ機器のケーブルやコード類、あるいは使用者の手等が挟まれた時に台板が下降を続けても、開閉板の裏面と昇降部材とが離間されることにより、ケーブルやコード類が断線したり、手の挟まれてけがをすることがなく、安全である。更に突片と押上げ杆の下部との摺接、及び押上げ杆の遊端と開閉板の裏面との摺接により、開閉板がスムーズに開閉されるとともに、台板の上昇ストロークが少なくても、開閉板を大きく開放させることが可能になる。
【０００８】
上記机は、前記押上げ杆の他端に、前記開閉板の開閉に伴い裏面を転動するローラが設けられていることが好ましい。
このようにすると、開閉板の上下方向の回動が滑らかに行われるようになるばかりか、開閉板の裏面が傷つくことがない。
【０００９】
本発明のＯＡ機器収納型机は、机の上部所定箇所に、天板の所定箇所に設けられた開口部を閉塞可能な開閉板が、上下方向に回動可能に枢着されるとともに、前記開閉板の下方における机本体内部には、ＯＡ機器を載置する台板が、前記開口部が前記開閉板により閉塞された時に下限に位置し、かつ前記開口部が開放されたときに上限の使用位置に保持しうるように昇降可能に設けられ、さらに前記台板には、少なくとも前記台板の昇降時において前記開閉板の裏面に摺接し得る昇降部材が設けられており、前記開閉板が前記台板の昇降に伴い上下方向に回動され、前記開閉板の周縁部もしくは前記開口部の周縁部に、ケーブルやコード類の挿通口が形成されていることを特徴としている。上記構成の本発明によると、開閉板は、台板の昇降に伴い裏面に摺接される昇降部材により上下方向に回動されるので、使用者は開閉板を開閉操作することなく、ＯＡ機器を使用位置に取り出したり、天板下方に収納することが出来る。また、特にＯＡ機器の収納時において、自重により下方に回動する開閉板と開口部との間に、ＯＡ機器のケーブルやコード類、あるいは使用者の手等が挟まれた時に台板が下降を続けても、開閉板の裏面と昇降部材とが離間されることにより、ケーブルやコード類が断線したり、手の挟まれてけがをすることがなく、安全である。更に開閉板の閉塞時にケーブルやコード類が挟まることがないので、ＯＡ機器の使用時において開閉板を閉塞することが可能となる。また、閉塞した開閉板の上面を作業スペースとして利用できる。
【００１２】
【発明の実施の形態】
以下、本発明の実施例を図面に基づいて説明する。
【００１３】
図１ないし図４において、机本体１における天板２の左右側下面は、脚体３と、キャビネット４とによりそれぞれ支持されている。天板２の後端部下方における脚体３の内面３ａとキャビネット４の内面４ａとの間は、後面板５により覆われている。
【００１４】
天板２後部における左右方向略中央部は、後端部が、後面板５の上部に固着された蝶番７を介して、図１中矢印で示されるように前後方向に回動自在に設けられた開閉板６により構成されている。
【００１５】
開閉板６は、先端がフリーな状態に設けられており、その前端辺に形成された段部６ａと、天板２に形成される開口部１２の周縁部に形成される段部１２ａとの係止作用により、図２のように、天板２と同高さ位置にて水平状態に保持されるようになっているとともに、後端部６ｂが後面板５の上部に当接された時に、図１に示される所定開放角度以上の後方への回動が規制されるようになっている。
【００１６】
開閉板６の下方には、図１に示されるようなノート型のパソコン８や、マウス９等のＯＡ機器を載置可能な台板１０が、下方に設けられる昇降装置１１により昇降可能に設けられている。
【００１７】
台板１０の下面には、脚体３の内面３ａとキャビネット４の内面４ａとの間に横架される下部フレーム１３の上部に固設された電動シリンダ１４の本体部１４ａに、伸縮自在に嵌挿されたロッド１４ｂの上端部が固着されており、このロッド１４ｂの伸縮により昇降するようになっている。
【００１８】
また、台板１０の下面からは、脚体３の内面３ａとキャビネット４の内面４ａとの間に横架される上部フレーム１５の前面に設けられる２つの案内部材１６、１６内に、それぞれ上下方向に摺動自在に嵌挿される２本のスライドシャフト１７が垂下されているため、台板１０が水平に保持された状態で昇降するようになっている。
【００１９】
ロッド１４ｂの上端部より下方に垂設された昇降シャフト１８の下端部には、ロッド１４ｂの昇降に伴い、本体部１４ａの外周近傍における上下位置に設けられるリミットスイッチ１９、１９’に選択的に接触し得るリミットスイッチ作動部材２０が取り付けられている。本実施例においては、上昇する台板１０が、図１のように天板２とほぼ同高さの上限位置まで上昇された時、及び台板１０が、図２のような天板２の下方における下限位置まで下降された時に、ロッド１４ｂの伸縮に伴い昇降するリミットスイッチ作動部材２０が上部または下部のリミットスイッチ１９、１９’に接触し、電動シリンダ１４の作動が停止されるようになっている。
【００２０】
なお、台板１０を昇降すべく電動シリンダ１４の作動操作は、机１における適宜箇所に設けられ、電動シリンダ１４に電気的に連結された操作スイッチ（図示略）により行われるようになっている。
【００２１】
また、これら昇降装置１１、及び天板２の下方に収納されたパソコン８、マウス９等の前面には幕板２６が設けられているため、これら昇降装置１１やパソコン８、マウス９等が外部に露呈されて机の外観が損なわれたり、使用者の足により破損される恐れがない。さらに、台板１０が図２のような収納位置にあるとき、台板１０の前面は幕板２６に、左右側面はキャビネット４の内面４ａ、及び開口部１２の周縁部より下方に垂設された側板２５（図１、３参照）に、後面は後面板５により、それぞれ覆われており、収納されたパソコン８やマウス９等の台板１０からの落下が防止されている。
【００２２】
台板１０の上面後方における左右側端部には、それぞれ所定高さを有する突片２１が立設されており、後面板５の上端部に固着された支持部材２２には、先端が上方に屈曲された押上げ杆２３の後端が、図１、２に示されるように開閉板６と同様に回動し得るように枢着されている。この押上げ杆２３は上下方向に回動自在な状態で設けられているため、押上げ杆２３の下端縁２３ａは、自重により常に突片２１の上端縁２１ａに摺接される。
【００２３】
また、押上げ杆２３の先端部に、開閉する開閉板６の裏面６ｃを転動するように設けられたローラ２４は、図２の状態において開閉板６の裏面に当接されているが、基本的に開閉板６は、段部６ａ、１２ａの係止作用により、水平に保持されている。
【００２４】
なお、開閉板６における端辺部には、パソコン８やマウスよ９より延設されるケーブルや電源コード等を挿通するための挿通口２７が形成されている。
【００２５】
次に、このように構成された本発明実施例としての机１の作用を図面に基づいて説明する。
【００２６】
まずパソコン不使用時において、台板１０が図２に示されるような天板２の下方位置にある時、パソコン８やマウス９等のＯＡ機器は天板２の下方に収納され、開口部１２は、段部６ａと段部１２ａとの係止作用を介して自重により水平に保持される開閉板６により閉塞されている。この時、開閉板６の上面は天板２の上面とほぼ面一であるため、天板２の上面全体を作業スペースとして使用することが出来る。
【００２７】
パソコンを使用時において、机１の適宜箇所に設けられた操作スイッチ（図示略）を操作すると、電動シリンダ１４の作動によりロッド１４ｂが伸長され、図２に示される天板２の下方位置にある台板１０が上昇される。この台板１０の上昇に伴い、押上げ杆２３が突片２１により上方へ付勢されて上方に回動されるため、開閉板６の裏面６ｃがローラ２４により上方に付勢されることにより、開口部１２が開放されていく。
【００２８】
そしてリミットセンサ作動板２０が上部のリミットセンサ１９が接触されることにより、電動シリンダ１４の作動が自動的に停止され、台板１０が天板２とほぼ同高さ位置にて保持される。この時、図１に示される所定開放角度に開放された開閉板６は、突片２１及び押上げ杆２３のローラ２４により保持される。なお、図１、２における１０ａは、上昇途中における押上げ杆２３の下端縁２３ａとの接触を回避するために台板１０の後端部に設けられた切欠部である。
【００２９】
このように、台板１０を上昇させることにより開閉板６が自動的に開放されるため、使用者は開閉板６を自ら開放操作することなく、パソコン８、マウス９を容易に取り出すことが出来る。また、上限位置に保持された台板１０の上面と天板２の上面とがほぼ面一になるため、パソコン８、マウス９を、図１及び図４中実線で示されるように天板２の前方の使用位置まで容易に引き出すことが出来るばかりか、開閉板６を閉塞しなくても、台板１０上を天板２の一部として利用出来る。
【００３０】
使用したパソコン８、マウス９を収納する場合、手前に引き出したパソコン８、マウス９を台板１０上に載置した後、前述した操作スイッチ（図示略）を介して台板１０を下降させる。台板１０の下降に伴い、突片２１に支持された押上げ杆２３が自重により下方に回動され、開放状態にあった開閉板６が自重により下方に回動される。そしてリミットスイッチ作動部材２０が下部のリミットセンサ１９’に接触され、台板１０が下限位置において自動的に停止された時、パソコン８、マウス９は、段部１２ａと段部６ａとの係止作用により水平状態に保持される開閉板６、すなわち天板２の下方に収納される。
【００３１】
ここで、開閉板６の下方への回動時において、開閉板６と開口部１２の周縁部との間に、パソコン８、マウス９のケーブル、電源コード類や、使用者の手等が不用意に挟まれる等、何らかの要因により下方への回動が規制された時、開閉板６の裏面６ｃとローラ２４とが離間されるのみで、下降を続ける台板１０に連動して開閉板６がそれ以上強制的に回動されることがないので、ケーブル、電源コード類が断線したり、使用者が手を負傷することがなく、安全である。
【００３２】
また、下端縁２３ａに摺接する突片２１の上昇により、押上げ杆２３が上方に回動されると、ローラ２４は開閉板６の裏面６ｃの遊端側から回動中心方向に転動されるため、開閉板６が上方にスムーズに回動される。さらに、押上げ杆２３の先端に摩擦抵抗の小さなローラ２４が設けられることで、開閉がより滑らかになるばかりか、裏面６ｃを傷つけることがない。また、突片２１を開閉板６の回動中心寄りに設けられるので、突片２１の昇降が少なくても、開閉板６を大きく開放することが出来る。
【００３３】
また、パソコンの使用時において、開閉板６が邪魔になるような場合、前述の方法にて、台板１０のみを下降させてしまえば、特に図４に示されるように、上面が開閉板６の上面とほぼ同高さ位置に保持される開閉板６を天板２の一部として利用出来るため、他の作業スペースを確保できる。この時、パソコン８やマウス９のケーブルやコード類は、開閉板６に形成された挿通口２７を介して天板２の上面から下方に挿通出来るため、ケーブルやコード類により開閉板６による開口部１２の閉塞が妨げられることがない。
【００３４】
本発明は、上記実施例に限定されるものではなく、以下のような種々の実施形態をとり得る。
【００３５】
例えば、上記実施例では、開閉板６は、開閉回動時のみ突片２１及び押上げ杆２３により支持され、開口部１２の閉塞時においては段部６ａ、１２ａとの係止により保持されるようになっていたが、開口部１２の閉塞時においても、突片２１により直接支持されるように構成されていてもよい。
【００３６】
昇降装置１１は、電動シリンダにより構成されていたが、台板１０を昇降させ得るものであればどのような昇降装置が用いられていてもよい。また、台板１０の昇降範囲はリミットセンサ１９、１９’により行われていたが、例えばロッド１４ｂの伸縮ストロークを検知するセンサを設ける等、種々の方法が考えられる。
【００３７】
【発明の効果】
本発明によれば、次のような効果が得られる。
【００３８】
請求項１に記載の発明によれば、開閉板は、台板の昇降に伴い裏面に摺接される昇降部材により上下方向に回動されるので、使用者は開閉板を開閉操作することなく、ＯＡ機器を使用位置に取り出したり、天板下方に収納することが出来る。また、特にＯＡ機器の収納時において、自重により下方に回動する開閉板と開口部との間に、ＯＡ機器のケーブルやコード類、あるいは使用者の手等が挟まれた時に台板が下降を続けても、開閉板の裏面と昇降部材とが離間されることにより、ケーブルやコード類が断線したり、手の挟まれてけがをすることがなく、安全である。更に突片と押上げ杆の下部との摺接、及び押上げ杆の遊端と開閉板の裏面との摺接により、開閉板がスムーズに開閉されるとともに、台板の上昇ストロークが少なくても、開閉板を大きく開放させることが可能になる。
【００４０】
請求項２に記載の発明によれば、開閉板の上下方向の回動が滑らかに行われるようになるばかりか、開閉板の裏面が傷つくことがない。
【００４１】
請求項３に記載の発明によれば、開閉板は、台板の昇降に伴い裏面に摺接される昇降部材により上下方向に回動されるので、使用者は開閉板を開閉操作することなく、ＯＡ機器を使用位置に取り出したり、天板下方に収納することが出来る。また、特にＯＡ機器の収納時において、自重により下方に回動する開閉板と開口部との間に、ＯＡ機器のケーブルやコード類、あるいは使用者の手等が挟まれた時に台板が下降を続けても、開閉板の裏面と昇降部材とが離間されることにより、ケーブルやコード類が断線したり、手の挟まれてけがをすることがなく、安全である。更に開閉板の閉塞時にケーブルやコード類が挟まることがないので、ＯＡ機器の使用時において開閉板を閉塞することが可能となる。また、閉塞した開閉板の上面を作業スペースとして利用できる。
【００４４】
【図面の簡単な説明】
【図１】本発明の一実施例におけるパソコン使用時の状態を示す側方断面図である。
【図２】同じく、パソコンの不使用時の側方断面図である。
【図３】図２のＡ−Ａ断面図である。
【図４】パソコン使用時の状態を示す平面図である。
【符号の説明】
１              机
２              天板
３              脚体
３ａ            内面
４              キャビネット
４ａ            内面
５              後面板
６              開閉板
６ａ、１２ａ    段部
６ｂ            後端部
６ｃ            裏面
７              蝶番
８              パソコン
９              マウス
１０            台板
１１            昇降装置
１２            開口部
１３            下部フレーム
１４            電動シリンダ
１４ａ          本体部
１４ｂ          ロッド
１５            上部フレーム
１６            案内部材
１７            スライドシャフト
１８            昇降シャフト
１９、１９’    リミットスイッチ
２０            リミットスイッチ作動部材
２１            突片（昇降部材）
２１ａ          上端縁
２２            支持部材
２３            押上げ杆（昇降部材）
２３ａ          下端縁
２４            ローラ
２５            側面板
２６            幕板
２７            挿通口
【図１】
0004430147.tif 000002
【図２】
0004430147.tif 000003
【図３】
0004430147.tif 000004
【図４】
0004430147.tif 000005